(57)【要約】  本出願の実施例は、リンク再設定処理方法及び関連製品を開示する。該方法は、ネットワーク装置が、端末にプリセットパラメータグループを指示し、プリセットパラメータグループが、端末の帯域幅部分（ＢＷＰ）に対して設定されたものであり、プリセットパラメータグループが、端末がＢＷＰで伝送を行う時に対応する処理操作を実行するために用いられるものであることを含む。本出願の実施例は、伝送時に実行される処理操作を異なるＢＷＰにおいてより柔軟に設定して、ＢＷＰに関連するビームマネジメント効率及びシステムの性能を向上させるのに寄与する。
2021516472.tif 000002
【特許請求の範囲】
【請求項１】
リンク再設定処理方法であって、
ネットワーク装置が、端末にプリセットパラメータグループを指示し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものであることを含む、前記方法。
【請求項２】
前記プリセットパラメータグループが、少なくとも１つのプリセットパラメータグループを含み、各プリセットパラメータグループが、１つ又は複数のＢＷＰに対応することを特徴とする、
請求項１に記載の方法。
【請求項３】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含み、前記対応する処理操作は、リンク品質が所定又は設定された閾値より悪いかを検出することであることを特徴とする
請求項１又は２に記載の方法。
【請求項４】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含み、前記対応する処理操作は、所定条件を満たす１つの信号を選択することであることを特徴とする
請求項１又は２に記載の方法。
【請求項５】
前記プリセットパラメータグループは、対応する物理ランダムアクセスチャネル（ＰＲＡＣＨ）シーケンス及び／又は時間周波数リソースを設定するためのものであることを特徴とする
請求項４に記載の方法。
【請求項６】
前記プリセットパラメータグループは一組の電力制御パラメータを含み、前記電力制御パラメータは、前記端末が所定条件を満たす１つの信号を選択した後に前記ネットワーク装置へのＰＲＡＣＨの伝送を行うためのものであることを特徴とする
請求項１又は２に記載の方法。
【請求項７】
前記プリセットパラメータグループは、制御リソースセット（ＣＯＲＥＳＥＴ）を含み、前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することであることを特徴とする
請求項１−６に記載の方法。
【請求項８】
前記方法は
前記ネットワーク装置が、前記ＢＷＰの前記プリセットパラメータグループを設定し、
前記ネットワーク装置が、前記ＢＷＰのアクティブ化を指示すること、
又は前記ネットワーク装置が、前記ＢＷＰのアクティブ化を指示する時、前記ＢＷＰの前記プリセットパラメータグループを設定することを更に含むことを特徴とする
請求項１−７のうちいずれか一項に記載の方法。
【請求項９】
リンク再設定処理方法であって、
端末が、ネットワーク装置からのプリセットパラメータグループを受信し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものであることを含む、前記方法。
【請求項１０】
前記プリセットパラメータグループが、少なくとも１つのプリセットパラメータグループを含み、各プリセットパラメータグループが、１つ又は複数のＢＷＰに対応することを特徴とする
請求項９に記載の方法。
【請求項１１】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含み、前記対応する処理操作は、リンク品質が所定又は設定された閾値より悪いかを検出することであることを特徴とする
請求項９又は１０に記載の方法。
【請求項１２】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含み、前記対応する処理操作は、所定条件を満たす１つの信号を選択することであることを特徴とする
請求項９又は１０に記載の方法。
【請求項１３】
前記プリセットパラメータグループは、対応する物理ランダムアクセスチャネル（ＰＲＡＣＨ）シーケンス及び／又は時間周波数リソースを設定するためのものであることを特徴とする
請求項１２に記載の方法。
【請求項１４】
前記プリセットパラメータグループは一組の電力制御パラメータを含み、前記電力制御パラメータは、前記端末が所定条件を満たす１つの信号を選択した後に前記ネットワーク装置へのＰＲＡＣＨの伝送を行うためのものであることを特徴とする
請求項９又は１０に記載の方法。
【請求項１５】
前記プリセットパラメータグループは、制御リソースセット（ＣＯＲＥＳＥＴ）を含み、前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することであることを特徴とする
請求項９−１４のうちいずれか一項に記載の方法。
【請求項１６】
前記方法は、
前記端末が、ネットワーク装置からの、前記ＢＷＰをアクティブ化する指示を受信し、前記指示が、前記ネットワーク装置が前記ＢＷＰの前記プリセットパラメータグループを設定した後に送信したものであるか、又は、前記指示が、前記ネットワーク装置が前記ＢＷＰの前記プリセットパラメータグループを設定している過程において送信したものであることを更に含むことを特徴とする
請求項９−１５のうちいずれか一項に記載の方法。
【請求項１７】
ネットワーク装置であって、処理ユニットと通信ユニットとを備え、
前記処理ユニットは、前記通信ユニットにより端末にプリセットパラメータグループを指示するように構成され、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである、前記ネットワーク装置。
【請求項１８】
端末であって、処理ユニットと通信ユニットとを備え、
前記処理ユニットは、前記通信ユニットによりネットワーク装置からのプリセットパラメータグループを受信するように構成され、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである、前記端末。
【請求項１９】
ネットワーク装置であって、プロセッサと、メモリと、送受信機と、１つ又は複数のプログラムとを備え、前記１つ又は複数のプログラムは、前記メモリに記憶されており、前記プロセッサにより実行されるように構成され、前記プログラムは、請求項１−８のうちいずれか一項に記載の方法におけるステップを実行するための命令を含む、前記ネットワーク装置。
【請求項２０】
端末であって、プロセッサと、メモリと、通信インタフェースと、１つ又は複数のプログラムとを備え、前記１つ又は複数のプログラムは、前記メモリに記憶されており、前記プロセッサにより実行されるように構成され、前記プログラムは、請求項９−１６のうちいずれか一項に記載の方法におけるステップを実行するための命令を含む、前記端末。
【請求項２１】
コンピュータ可読記憶媒体であって、電子データ交換のためのコンピュータプログラムが記憶されており、前記コンピュータプログラムは、コンピュータに、請求項１−８のうちいずれか一項に記載の方法を実行させる、前記コンピュータ可読記憶媒体。
【請求項２２】
コンピュータ可読記憶媒体であって、電子データ交換のためのコンピュータプログラムが記憶されており、前記コンピュータプログラムは、コンピュータに、請求項９−１６のうちいずれか一項に記載の方法を実行させる、前記コンピュータ可読記憶媒体。
【発明の詳細な説明】
【技術分野】
【０００１】
本出願は、通信技術分野に関し、特にリンク再設定処理方法及び関連製品に関する。
【背景技術】
【０００２】
新しい無線通信（ＮＲ：Ｎｅｗ  ｒａｄｉｏ）において、１つのキャリアは、複数の帯域幅部分（Ｂａｎｄｗｉｄｔｈ  Ｐａｒｔ：ＢＷＰ）を含むことができる。１つの端末にとって、１つの時刻で上り伝送を行うためにアクティブ化される上りＢＷＰは１つしかない。同様に、１つの時刻で下り伝送を行うためにアクティブ化される下りＢＷＰは１つしかない。端末においてどのＢＷＰが現在アクティブ化されているかは、下り制御情報（Ｄｏｗｎｌｉｎｋ  Ｃｏｎｔｒｏｌ  Ｉｎｆｏｒｍａｔｉｏｎ：ＤＣＩ）等により指示される。端末の伝送に用いられるＢＷＰは、１つのキャリア内の複数のＢＷＰにおいて動的に切り替えられるものである。端末が異なるＢＷＰで伝送を行うように如何に効率的に設定するかは、解決しようとする技術的課題である。
【発明の概要】
【発明が解決しようとする課題】
【０００３】
本出願の実施例は、伝送時に実行される処理操作を異なるＢＷＰにおいてより柔軟に設定して、ＢＷＰに関連するビームマネジメント効率及びシステムの性能を向上させるのに寄与するリンク再設定処理方法及び関連製品を提供する。
【課題を解決するための手段】
【０００４】
第１態様によれば、本出願の実施例は、リンク再設定処理方法を提供し、該方法は、
ネットワーク装置が、端末にプリセットパラメータグループを指示し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものであることを含む。
【０００５】
第２態様によれば、本出願の実施例は、リンク再設定処理方法を提供し、該方法は、
端末が、ネットワーク装置からのプリセットパラメータグループを受信し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものであることを含む。
【０００６】
第３態様によれば、本出願の実施例は、ネットワーク装置を提供し、該ネットワークは、上記方法設計における第１ネットワーク装置の動作を実現させる機能を持つ。前記機能は、ハードウェアで実現してもよいし、ハードウェアで対応するソフトウェアを実行することで実現してもよい。前記ハードウェア又はソフトウェアは、上記機能に対応する１つ又は複数のモジュールを含む。考えられる設計において、ネットワーク装置は、ネットワーク装置による上記方法における対応する機能の実行をサポートするように構成されるプロセッサを備える。また、ネットワーク装置は、ネットワーク装置と端末との通信をサポートするように構成される送受信機を更に備えてもよい。また、ネットワーク装置は、プロセッサに結合され、ネットワーク装置の必要なプログラム命令及びデータを記憶するように構成されるメモリを更に備えてもよい。
【０００７】
第４態様によれば、本出願の実施例は、端末を提供し、該端末は、上記方法設計における端末の動作を実現させる機能を持つ。前記機能は、ハードウェアで実現してもよいし、ハードウェアで対応するソフトウェアを実行することで実現してもよい。前記ハードウェア又はソフトウェアは、上記機能に対応する１つ又は複数のモジュールを含む。考えられる設計において、端末は、端末による上記方法における対応する機能の実行をサポートするように構成されるプロセッサを備える。また、端末は、端末とネットワーク装置との通信をサポートするように構成される送受信機を更に備えてもよい。また、端末は、プロセッサに結合され、端末の必要なプログラム命令及びデータを記憶するように構成されるメモリを更に備えてもよい。
【０００８】
第５態様によれば、本出願の実施例は、ネットワーク装置を提供し、該ネットワーク装置は、プロセッサと、メモリと、送受信機と、１つ又は複数のプログラムとを備え、前記１つ又は複数のプログラムは、前記メモリに記憶されており、前記プロセッサにより実行されるように構成され、前記プログラムは、本出願の実施例の第１態様のいずれか１つの方法における工程を実行するための命令を含む。
【０００９】
第６態様によれば、本出願の実施例は、端末を提供し、該端末は、プロセッサと、メモリと、通信インタフェースと、１つ又は複数のプログラムとを備え、前記１つ又は複数のプログラムは、前記メモリに記憶されており、前記プロセッサにより実行されるように構成され、前記プログラムは、本出願の実施例の第２態様のいずれか１つの方法における工程を実行するための命令を含む。
【００１０】
第７態様によれば、本出願の実施例は、コンピュータ可読記憶媒体を提供し、前記コンピュータ可読記憶媒体には、電子データ交換のためのコンピュータプログラムが記憶されており、前記コンピュータプログラムは、コンピュータに、本出願の実施例の第１態様のいずれか１つの方法に記載の一部又は全部の工程を実行させる。
【００１１】
第８態様によれば、本出願の実施例は、コンピュータ可読記憶媒体を提供し、前記コンピュータ可読記憶媒体には、電子データ交換のためのコンピュータプログラムが記憶されており、前記コンピュータプログラムは、コンピュータに、本出願の実施例の第２態様のいずれか１つの方法に記載の一部又は全部の工程を実行させる。
【００１２】
第９態様によれば、本出願の実施例は、コンピュータプログラム製品を提供し、前記コンピュータプログラム製品は、コンピュータプログラムが記憶されている非一時的なコンピュータ可読記憶媒体を含み、前記コンピュータプログラムを実行することで、コンピュータに、本出願の実施例の第１態様のいずれか１つの方法に記載の一部又は全部の工程を実行させることができる。該コンピュータプログラム製品は、ソフトウェアインストールパッケージであってもよい。
【００１３】
第１０態様によれば、本出願の実施例は、コンピュータプログラム製品を提供し、前記コンピュータプログラム製品は、コンピュータプログラムが記憶されている非一時的なコンピュータ可読記憶媒体を含み、前記コンピュータプログラムを実行することで、コンピュータに、本出願の実施例の第２態様のいずれか１つの方法に記載の一部又は全部の工程を実行させることができる。該コンピュータプログラム製品は、ソフトウェアインストールパッケージであってもよい。
【発明の効果】
【００１４】
上記から分かるように、本出願の実施例において、ネットワーク装置が、端末にプリセットパラメータグループを指示し、該プリセットパラメータグループが、端末の帯域幅部分（ＢＷＰ）に対して設定されたものであり、且つ該プリセットパラメータグループは、端末が前記ＢＷＰで伝送を行う時に対応する処理操作を実行するために用いられるものである。端末の異なるＢＷＰに対して、プリセットパラメータグループを設定することで、ＢＷＰで伝送を行う時に実行される処理操作をより柔軟に設定して、ＢＷＰに関連するビームマネジメント效率及びシステムの性能を向上させることができる。例えば、異なる帯域幅部分（ＢＷＰ）において、リンク品質を判定するための参照信号が、１つのみのＢＷＰのためのものであれば、他のＢＷＰに切り替えた時、リンク品質が悪すぎるかを判定するために該信号を用いることができなくなる。リンク再設定プロセスにおける他の工程においても類似した課題が存在する。従って、端末のＢＷＰにおける伝送の柔軟性を向上させるために、異なるＢＷＰに対して、異なるこのような信号を設定し、上記プリセットパラメータグループに対応させる必要がある。
【図面の簡単な説明】
【００１５】
【図１】本出願の実施例に係るデータコピー機能をサポートする二重接続伝送モードのプロトコルアーキテクチャの例を示す図である。
【図２】本出願の実施例に係るリンク再設定処理方法を示すフローチャートである。
【図３】本出願の実施例に係るリンク再設定処理方法を示すフローチャートである。
【図４】本出願の実施例に係るリンク再設定処理方法を示すフローチャートである。
【図５】本出願の実施例に係るネットワーク装置の構成を示す概略図である。
【図６】本出願の実施例に係る端末の構成を示す概略図である。
【図７】本出願の実施例に係るネットワーク装置の構成を示す概略図である。
【図８】本出願の実施例に係る端末の構成を示す概略図である。
【００１６】
以下、実施例又は従来技術の記述に必要な図面を簡単に説明する。
【発明を実施するための形態】
【００１７】
以下、図面を参照しながら、本出願の実施例における技術的解決手段を説明する。
【００１８】
図１は、本出願に係る無線通信システムを示す。前記無線通信システムは、高周波帯域で作動することができ、将来の進化型第５世代移動体通信（ｔｈｅ  ５ｔｈ  Ｇｅｎｅｒａｔｉｏｎ：５Ｇ）システム、新しい無線通信（ＮＲ）システム、機械間通信（Ｍａｃｈｉｎｅ  ｔｏ  Ｍａｃｈｉｎｅ：Ｍ２Ｍ）システムなどであってもよい。図面に示すように、無線通信システム１００は、１つ又は複数のネットワーク装置１０１、１つ又は複数の端末１０３及びコアネットワーク装置１０５を備えてもよい。ここで、ネットワーク装置１０１は、基地局であってもよい。基地局は、１つ又は複数の端末との通信に用いられてもよいし、一部の端末機能を持つ１つ又は複数の基地局との通信（例えば、マクロ基地局やピコ基地局、アクセスポイントとの通信）に用いられてもよい。基地局は、時分割同期符号分割多元接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ：ＴＤ−ＳＣＤＭＡ）システムにおけるベーストランシーバ基地局（Ｂａｓｅ  Ｔｒａｎｓｃｅｉｖｅｒ  Ｓｔａｔｉｏｎ：ＢＴＳ）であってもよいし、ＬＴＥシステムにおける進化型基地局（Ｅｖｏｌｕｔｉｏｎａｌ  Ｎｏｄｅ  Ｂ：ｅＮＢ）及び５Ｇシステム、新しい無線通信（ＮＲ）システムにおける基地局であってもよい。また、基地局は、アクセスポイント（Ａｃｃｅｓｓ  Ｐｏｉｎｔ：ＡＰ）、伝送ノード（Ｔｒａｎｓ  ＴＲＰ）、中央装置（Ｃｅｎｔｒａｌ  Ｕｎｉｔ：ＣＵ）又は他のネットワーク電ティティであってもよく、且つ上記ネットワークエンティティの機能における一部又は全部の機能を含んでもよい。コアネットワーク装置１０５は、サービングゲートウェイ（Ｓｅｒｖｉｎｇ  ＧａｔｅＷａｙ：ＳＧＷ）などのコアネットワーク側装置を含む。端末１０３は、無線通信システム１００全体に分布してもよく、固定されていてもまたは移動式であってもよい。本出願の幾つかの実施例において、端末１０３は、携帯機器（例えばスマートフォン）、移動局（ｍｏｂｉｌｅ  ｓｔａｔｉｏｎ）、移動ユニット（ｍｏｂｉｌｅ  ｕｎｉｔ）、Ｍ２Ｍ端末、無線ユニット、リモートユニット、ユーザ用エージェント、モバイルクライアントなどであってもよい。
【００１９】
図１に示した無線通信システム１００は本出願の技術的解決手段をより明確に説明するためのものに過ぎず、本出願を限定するものではなく、当業者は知っている通り、ネットワークアーキテクチャの進行及び新しいサービスシナリオの出現につれて、本出願が提供する技術的解決手段が類似した技術的課題にも適用可能であることに留意されたい。
【００２０】
以下、本出願に係る関連技術を説明する。
【００２１】
現在、現在のＮＲ設計において、１つの端末は、複数の下りＤＬ  ＢＷＰ又は上りＵＬ  ＢＷＰを設定し、しかもＤＣＩ／媒体アクセス制御層制御ユニットＭＡＣ  ＣＥなどの方式によって、異なるＢＷＰにおいて比較的動的に伝送することができる。
【００２２】
しかしながら、現在のリンク再設定（ビームフェイリアーリカバリ：ｂｅａｍ  ｆａｉｌｕｒｅ  ｒｅｃｏｖｅｒｙ）メカニズムにおいて、多くの設定は、上記ＢＷＰの動的切り替えを効果的にサポートすることができない。例えば、リンク品質が悪すぎるかを検出する（ｂｅａｍ  ｆａｉｌｕｒｅ  ｄｅｔｅｃｔｉｏｎ）ための信号が、１つのみのＢＷＰのためのものであり、他のＢＷＰに切り替えた時、リンク品質が悪すぎるかを判定するために該信号を用いることができなくなる。リンク再設定プロセスにおける他の工程においても類似した課題が存在する。
【００２３】
上記課題に対して、本出願の実施例は下記実施例を提供する。以下、図面を参照しながら、詳細に説明する。
【００２４】
図２を参照すると、図２は、本出願の実施例に係るリンク再設定処理方法を示す。該方法は、上記例示した通信システムに適用される。該方法は、以下を含む。
【００２５】
２０１において、ネットワーク装置が、端末にプリセットパラメータグループを指示し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである。
【００２６】
上記から分かるように、本出願の実施例において、ネットワーク装置が、端末にプリセットパラメータグループを指示し、該プリセットパラメータグループが、端末の帯域幅部分（ＢＷＰ）に対して設定されたものであり、且つ該プリセットパラメータグループは、端末が前記ＢＷＰで伝送を行う時に対応する処理操作を実行するために用いられるものである。よって、端末の異なるＢＷＰに対して、プリセットパラメータグループを設定することで、ＢＷＰで伝送を行う時に実行される処理操作をより柔軟に設定して、ＢＷＰに関連するビームマネジメント效率及びシステムの性能を向上させることができる。例えば、異なる帯域幅部分（ＢＷＰ）において、リンク品質を判定するための参照信号が、１つのみのＢＷＰのためのものであれば、他のＢＷＰに切り替えた時、リンク品質が悪すぎるかを判定するために該信号を用いることができなくなる。リンク再設定プロセスにおける他の工程においても類似した課題が存在する。従って、端末のＢＷＰにおける伝送の柔軟性を向上させるために、異なるＢＷＰに対して、異なるこのような信号を設定し、上記プリセットパラメータグループに対応させる必要がある。
【００２７】
考えられる例において、前記プリセットパラメータグループが、少なくとも１つのプリセットパラメータグループを含み、各プリセットパラメータグループが、１つ又は複数のＢＷＰに対応する。
【００２８】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、リンク品質が所定又は設定された閾値より悪いかを検出することである。
【００２９】
ここで、前記閾値は、プロトコルにより規定されるか、又はネットワークにより設定される。リンク品質が所定又は設定された閾値より悪いかを検出する前記操作は、ビームフェイリアー検出ｂｅａｍ  ｆａｉｌｕｒｅ  ｄｅｔｅｃｔｉｏｎと呼ばれてもよい。
【００３０】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、所定条件を満たす１つの信号を選択することである。
【００３１】
ここで、前記所定条件は、ネットワークにより設定される。例えば、Ｌ１−ＲＳＲＰに対応する１つの数値を閾値であってもよい。測定した信号品質が該閾値より高い時、所定条件を満たすと見なす。所定条件を満たす１つの信号を選択することは、新規候補ビーム識別（ｎｅｗ  ｃａｎｄｉｄａｔｅ  ｂｅａｍ  ｉｄｅｎｔｉｆｉｃａｔｉｏｎ）操作と呼ばれてもよい。
【００３２】
考えられる例において、前記プリセットパラメータグループは、対応する物理ランダムアクセスチャネル（ＰＲＡＣＨ）シーケンス及び／又は時間周波数リソースを設定するためのものである。
【００３３】
ここで、該プリセットパラメータグループは具体的には、上記新規候補ビーム識別操作の実行に用いられるＰＲＡＣＨシーケンス及び時間周波数リソースを設定するためのものである。
【００３４】
考えられる例において、前記プリセットパラメータグループは一組の電力制御パラメータを含み、前記電力制御パラメータは、前記端末が所定条件を満たす１つの信号を選択した後に前記ネットワーク装置へのＰＲＡＣＨの伝送を行うためのものである。
【００３５】
ここで、前記電力制御パラメータは、例えば、目標の受信電力（Ｐｒｅａｍｂｌｅ  Ｒｅｃｅｉｖｅｄ  Ｔａｒｇｅｔ  Ｐｏｗｅｒ）であってもよい。前記所定条件は、例えばネットワークにより設定される。例えば、Ｌ１−ＲＳＲＰに対応する１つの数値を閾値とすることができる。測定した信号品質が該閾値より高い時、所定条件を満たすと見なす。
【００３６】
上記から分かるように、該例において、端末は、所定条件を満たす１つの信号を選択してから、ネットワーク装置により指示された電力制御パラメータに基づいて、ＰＲＡＣＨの伝送を行うことができる。該ＰＲＡＣＨは、前記ネットワーク装置へ送信されたものである。従って、端末が他のＢＷＰに切り替えた時、対応する電力制御パラメータに基づいて、ＰＲＡＣＨを正確に伝送を行うことを確保し、データ伝送の安定性を向上させる。
【００３７】
考えられる例において、前記プリセットパラメータグループは、制御リソースセット（ＣＯＲＥＳＥＴ）を含む。前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することである。
【００３８】
考えられる例において、前記方法は、前記ネットワーク装置が、前記ＢＷＰの前記プリセットパラメータグループを設定し、前記ネットワーク装置が、前記ＢＷＰのアクティブ化を指示すること、又は前記ネットワーク装置が、前記ＢＷＰのアクティブ化を指示する時、前記ＢＷＰの前記プリセットパラメータグループを設定することを更に含む。
【００３９】
図２に示した実施例と同様に、図３を参照すると、図３は、本出願の実施例に係る別のリンク再設定処理方法を示す。該方法は、上記例示した通信システムに適用される。該方法は、以下を含む。
【００４０】
３０１において、端末が、ネットワーク装置からのプリセットパラメータグループを受信し、前記プリセットパラメータグループが、前記端末の帯域幅部分（ＢＷＰ）に対して設定されたものであり、プリセットパラメータグループが、端末がＢＷＰで伝送を行う時に対応する処理操作を実行するために用いられるものである。
【００４１】
上記から分かるように、本出願の実施例において、端末が、ネットワーク装置からのプリセットパラメータグループを受信し、プリセットパラメータグループが、端末の帯域幅部分（ＢＷＰ）に対して設定されたものであり、プリセットパラメータグループが、端末がＢＷＰで伝送を行う時に対応する処理操作を実行するために用いられるものである。端末の異なるＢＷＰに対して、プリセットパラメータグループを設定することで、ＢＷＰで伝送を行う時に実行される処理操作をより柔軟に設定して、ＢＷＰに関連するビームマネジメント效率及びシステムの性能を向上させることができる。例えば、異なる帯域幅部分（ＢＷＰ）において、リンク品質を判定するための参照信号が、１つのみのＢＷＰのためのものであれば、他のＢＷＰに切り替えた時、リンク品質が悪すぎるかを判定するために該信号を用いることができなくなる。リンク再設定プロセスにおける他の工程においても類似した課題が存在する。従って、端末のＢＷＰにおける伝送の柔軟性を向上させるために、異なるＢＷＰに対して、異なるこのような信号を設定し、上記プリセットパラメータグループに対応させる必要がある。
【００４２】
考えられる例において、前記プリセットパラメータグループが、少なくとも１つのプリセットパラメータグループを含み、各プリセットパラメータグループが、１つ又は複数のＢＷＰに対応する。
【００４３】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、リンク品質が所定又は設定された閾値より悪いかを検出することである。
【００４４】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、所定条件を満たす１つの信号を選択することである。
【００４５】
考えられる例において、前記プリセットパラメータグループは、対応する物理ランダムアクセスチャネル（ＰＲＡＣＨ）シーケンス及び／又は時間周波数リソースを設定するためのものである。
【００４６】
考えられる例において、前記プリセットパラメータグループは一組の電力制御パラメータを含み、前記電力制御パラメータは、前記端末が所定条件を満たす１つの信号を選択した後に前記ネットワーク装置へのＰＲＡＣＨの伝送を行うためのものである。
【００４７】
考えられる例において、前記プリセットパラメータグループは、制御リソースセット（ＣＯＲＥＳＥＴ）を含む。前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することである。
【００４８】
考えられる例において、前記方法は、
前記端末が、ネットワーク装置からの、前記ＢＷＰをアクティブ化する指示を受信し、前記指示が、前記ネットワーク装置が前記ＢＷＰの前記プリセットパラメータグループを設定した後に送信したものであるか、又は、前記指示が、前記ネットワーク装置が前記ＢＷＰの前記プリセットパラメータグループを設定している過程において送信したものであることを更に含む。
【００４９】
図２及び図３に示した実施例と同様に、図４を参照すると、図４は、本出願の実施例に係るリンク再設定処理方法を示す。該方法は、上記例示した通信システムに適用される。該方法は、以下を含む。
【００５０】
４０１において、ネットワーク装置が、端末にプリセットパラメータグループを指示し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである。
【００５１】
４０２において、端末が、ネットワーク装置からのプリセットパラメータグループを受信し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである。
【００５２】
上記から分かるように、本出願の実施例において、ネットワーク装置が、端末にプリセットパラメータグループを指示し、該プリセットパラメータグループが、端末の帯域幅部分（ＢＷＰ）に対して設定されたものであり、且つ該プリセットパラメータグループは、端末が前記ＢＷＰで伝送を行う時に対応する処理操作を実行するために用いられるものである。端末の異なるＢＷＰに対して、プリセットパラメータグループを設定することで、ＢＷＰで伝送を行う時に実行される処理操作をより柔軟に設定して、ＢＷＰに関連するビームマネジメント效率及びシステムの性能を向上させることができる。例えば、異なる帯域幅部分（ＢＷＰ）において、リンク品質を判定するための参照信号が、１つのみのＢＷＰのためのものであれば、他のＢＷＰに切り替えた時、リンク品質が悪すぎるかを判定するために該信号を用いることができなくなる。リンク再設定プロセスにおける他の工程においても類似した課題が存在する。従って、端末のＢＷＰにおける伝送の柔軟性を向上させるために、異なるＢＷＰに対して、異なるこのような信号を設定し、上記プリセットパラメータグループに対応させる必要がある。
【００５３】
上記実施例と同様に、図５を参照すると、図５は、本出願の実施例に係るネットワーク装置の構成を示す概略図である。該ネットワーク装置は、第１ネットワーク装置である。図面に示すように、該ネットワーク装置は、プロセッサと、メモリと、送受信機と、１つ又は複数のプログラムとを備え、前記１つ又は複数のプログラムは、前記メモリに記憶されており、前記プロセッサにより実行されるように構成され、前記プログラムは、
端末にプリセットパラメータグループを指示し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものであるステップを実行するための命令を含む。
【００５４】
上記から分かるように、本出願の実施例において、ネットワーク装置が、端末にプリセットパラメータグループを指示し、該プリセットパラメータグループが、端末の帯域幅部分（ＢＷＰ）に対して設定されたものであり、且つ該プリセットパラメータグループは、端末が前記ＢＷＰで伝送を行う時に対応する処理操作を実行するために用いられるものである。端末の異なるＢＷＰに対して、プリセットパラメータグループを設定することで、ＢＷＰで伝送を行う時に実行される処理操作をより柔軟に設定して、ＢＷＰに関連するビームマネジメント效率及びシステムの性能を向上させることができる。例えば、異なる帯域幅部分（ＢＷＰ）において、リンク品質を判定するための参照信号が、１つのみのＢＷＰのためのものであれば、他のＢＷＰに切り替えた時、リンク品質が悪すぎるかを判定するために該信号を用いることができなくなる。リンク再設定プロセスにおける他の工程においても類似した課題が存在する。従って、端末のＢＷＰにおける伝送の柔軟性を向上させるために、異なるＢＷＰに対して、異なるこのような信号を設定し、上記プリセットパラメータグループに対応させる必要がある。
【００５５】
考えられる例において、前記プリセットパラメータグループが、少なくとも１つのプリセットパラメータグループを含み、各プリセットパラメータグループが、１つ又は複数のＢＷＰに対応する。
【００５６】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、リンク品質が所定又は設定された閾値より悪いかを検出することである。
【００５７】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、所定条件を満たす１つの信号を選択することである。
【００５８】
考えられる例において、前記プリセットパラメータグループは、対応する物理ランダムアクセスチャネル（ＰＲＡＣＨ）シーケンス及び／又は時間周波数リソースを設定するためのものである。
【００５９】
考えられる例において、前記プリセットパラメータグループは一組の電力制御パラメータを含み、前記電力制御パラメータは、前記端末が所定条件を満たす１つの信号を選択した後に前記ネットワーク装置へのＰＲＡＣＨの伝送を行うためのものである。
【００６０】
考えられる例において、前記プリセットパラメータグループは、制御リソースセット（ＣＯＲＥＳＥＴ）を含む。前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することである。
【００６１】
考えられる例において、前記プログラムは、前記ＢＷＰの前記プリセットパラメータグループを設定し、前記ＢＷＰのアクティブ化を指示するか、又は前記ＢＷＰのアクティブ化を指示する時、前記ＢＷＰの前記プリセットパラメータグループを設定する操作を実行するための命令を更に含む。
【００６２】
上記実施例と同様に、図６を参照すると、図６は、本出願の実施例に係る端末の構成を示す概略図である。該端末は、プロセッサと、メモリと、通信インタフェースと、１つ又は複数のプログラムとを備え、前記１つ又は複数のプログラムは、前記メモリに記憶されており、前記プロセッサにより実行されるように構成され、前記プログラムは、
ネットワーク装置からのプリセットパラメータグループを受信し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものであるステップを実行するための命令を含む。
【００６３】
上記から分かるように、本出願の実施例において、端末が、ネットワーク装置からのプリセットパラメータグループを受信し、プリセットパラメータグループが、端末の帯域幅部分（ＢＷＰ）に対して設定されたものであり、プリセットパラメータグループが、端末がＢＷＰで伝送を行う時に対応する処理操作を実行するために用いられるものである。端末の異なるＢＷＰに対して、プリセットパラメータグループを設定することで、ＢＷＰで伝送を行う時に実行される処理操作をより柔軟に設定して、ＢＷＰに関連するビームマネジメント效率及びシステムの性能を向上させることができる。例えば、異なる帯域幅部分（ＢＷＰ）において、リンク品質を判定するための参照信号が、１つのみのＢＷＰのためのものであれば、他のＢＷＰに切り替えた時、リンク品質が悪すぎるかを判定するために該信号を用いることができなくなる。リンク再設定プロセスにおける他の工程においても類似した課題が存在する。従って、端末のＢＷＰにおける伝送の柔軟性を向上させるために、異なるＢＷＰに対して、異なるこのような信号を設定し、上記プリセットパラメータグループに対応させる必要がある。
【００６４】
考えられる例において、前記プリセットパラメータグループが、少なくとも１つのプリセットパラメータグループを含み、各プリセットパラメータグループが、１つ又は複数のＢＷＰに対応する。
【００６５】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、リンク品質が所定又は設定された閾値より悪いかを検出することである。
【００６６】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、所定条件を満たす１つの信号を選択することである。
【００６７】
考えられる例において、前記プリセットパラメータグループは、対応する物理ランダムアクセスチャネル（ＰＲＡＣＨ）シーケンス及び／又は時間周波数リソースを設定するためのものである。
【００６８】
考えられる例において、前記プリセットパラメータグループは一組の電力制御パラメータを含み、前記電力制御パラメータは、前記端末が所定条件を満たす１つの信号を選択した後に前記ネットワーク装置へのＰＲＡＣＨの伝送を行うためのものである。
【００６９】
考えられる例において、前記プリセットパラメータグループは、制御リソースセット（ＣＯＲＥＳＥＴ）を含む。前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することである。
【００７０】
考えられる例において、前記プログラムは、ネットワーク装置からの、前記ＢＷＰをアクティブ化する指示を受信し、前記指示が、前記ネットワーク装置が前記ＢＷＰの前記プリセットパラメータグループを設定した後に送信したものであるか、又は、前記指示が、前記ネットワーク装置が前記ＢＷＰの前記プリセットパラメータグループを設定している過程において送信したものであるという操作を実行するための命令を更に含む。
【００７１】
以上、各ネットワーク要素間のインタラクションの点から本出願の実施例における技術的解決手段を説明した。端末とネットワーク装置は、上記機能を実現させるために、各機能を実行するハードウェア構造及び／又はソフトウェアモジュールを備えることが理解されるべきである。当業者であれば、本明細書で開示される実施例を参照しながら説明される各例のユニット及びアルゴリズム工程は、本出願においてハードウェア又はハードウェアとコンピュータソフトウェアの組み合わせという形で実現してもよいことを容易に認識し得る。機能をハードウェアの形で実現させるか、それともコンピュータソフトウェアでハードウェアを駆動するという形で実現させるかは、技術的解決手段の特定な応用と設計制約条件によって定まる。当業者なら、種々の方法を使用して、述べた機能を特定の応用例ごとに実現することができるが、この実現は本発明の範囲を超えると見なされるべきではない。
【００７２】
本出願の実施例において、上記方法の例に応じて、端末及びネットワーク装置について機能ユニットの分割を行うことができる。例えば、各機能に対応するように各機能ユニットを分割してもよいし、２つ又は２つ以上の機能を１つ処理ユニットに集積してもよい。上記集積ユニットは、ハードウェアの形で実現してもよいし、ソフトウェアプログラムモジュールの形で実現してもよい。本出願の実施例において、ユニットの分割は模式的なものであり、機能の論理的分割に過ぎず、実際に実現する時に別の分割方式を利用してもよいことに留意されたい。
【００７３】
集積したユニットを用いる場合、図７は、上記実施例に係るネットワーク装置の考えられる機能ユニットの構成を示すブロック図である。該ネットワーク装置は、第１ネットワーク装置である。ネットワーク装置７００は、処理ユニット７０２と、通信ユニット７０３とを備える。処理ユニット７０２は、ネットワーク装置の動作を制御管理するように構成される。例えば、処理ユニット７０２は、ネットワーク装置による図２に示したステップ２０１、図４に示した４０１及び／又は本明細書で記述した技術のための他のプロセスの実行をサポートするように構成される。通信ユニット７０３は、例えば図６に示した端末間の通信のような、ネットワーク装置と他の装置との通信をサポートするように構成される。ネットワーク装置は、ネットワーク装置のプログラムコード及びデータを記憶するための記憶ユニット７０１を更に備えてもよい。
【００７４】
ここで、処理ユニット７０２は、プロセッサ又はコントローラであってもよい。通信ユニット７０３は、送受信機、送受信回路、無線周波数チップ等であってもよい。記憶ユニット７０１はメモリであってもよい。
【００７５】
ここで、前記処理ユニット７０２は、前記通信ユニット７０３により端末にプリセットパラメータグループを指示するように構成され、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである。
【００７６】
考えられる例において、前記プリセットパラメータグループが、少なくとも１つのプリセットパラメータグループを含み、各プリセットパラメータグループが、１つ又は複数のＢＷＰに対応する。
【００７７】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、リンク品質が所定又は設定された閾値より悪いかを検出することである。
【００７８】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、所定条件を満たす１つの信号を選択することである。
【００７９】
考えられる例において、前記プリセットパラメータグループは、対応する物理ランダムアクセスチャネル（ＰＲＡＣＨ）シーケンス及び／又は時間周波数リソースを設定するためのものである。
【００８０】
考えられる例において、前記プリセットパラメータグループは一組の電力制御パラメータを含み、前記電力制御パラメータは、前記端末が所定条件を満たす１つの信号を選択した後に前記ネットワーク装置へのＰＲＡＣＨの伝送を行うためのものである。
【００８１】
考えられる例において、前記プリセットパラメータグループは、制御リソースセット（ＣＯＲＥＳＥＴ）を含む。前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することである。
【００８２】
考えられる例において、前記処理ユニット７０２は更に、前記ＢＷＰの前記プリセットパラメータグループを設定し、前記ＢＷＰのアクティブ化を指示するか、又前記ＢＷＰのアクティブ化を指示する時、前記ＢＷＰの前記プリセットパラメータグループを設定するように構成される。
【００８３】
前記処理ユニット７０２がプロセッサであり、通信ユニット７０３が通信インタフェースであり、記憶ユニット７０１がメモリである場合、本出願の実施例に係るネットワーク装置は、図５に示したネットワーク装置であってもよい。
【００８４】
集積したユニットを用いる場合、図８は、上記実施例に係る端末の考えられる機能ユニットの構成を示すブロック図である。端末８００は、処理ユニット８０２と、通信ユニット８０３とを備える。処理ユニット８０２は、端末の動作を制御管理するように構成される。例えば、処理ユニット８０２は、端末による図３に示したステップ３０１、図４に示した４０２及び／又は本明細書で記述した技術のための他のプロセスの実行をサポートするように構成される。通信ユニット８０３は、端末と、例えば図５に示したネットワーク装置のような他の装置との通信をサポートするように構成される。端末は、端末のプログラムコード及びデータを記憶するための記憶ユニット８０１を更に備えてもよい。
【００８５】
ここで、処理ユニット８０２は、プロセッサ又はコントローラであってもよい。例えば中央処理装置（Ｃｅｎｔｒａｌ  Ｐｒｏｃｅｓｓｉｎｇ  Ｕｎｉｔ：ＣＰＵ）、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ：ＡＳＩＣ）、フィールドプログラミングゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、トランジスタロジックデバイス、ハードウェア部材又はそれらの任意の組み合わせであってもよい。それは、本出願で説明された様々な例示的な論理ブロック、モジュール及び回路を実現又は実行することができる。前記プロセッサは、演算機能を実現させるものの組み合わせであってもよい、例えば、１つ又は複数のマイクロプロセッサの組み合わせ、ＤＳＰとマイクロプロセッサの組み合わせなどを含む。通信ユニット８０３は、送受信機、送受信回路などであってもよい。記憶ユニット８０１はメモリであってもよい。
【００８６】
ここで、前記処理ユニット８０２は、前記通信ユニットによりネットワーク装置からのプリセットパラメータグループを受信するように構成され、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである。
【００８７】
考えられる例において、前記プリセットパラメータグループが、少なくとも１つのプリセットパラメータグループを含み、各プリセットパラメータグループが、１つ又は複数のＢＷＰに対応する。
【００８８】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、リンク品質が所定又は設定された閾値より悪いかを検出することである。
【００８９】
考えられる例において、前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号を含む。前記対応する処理操作は、所定条件を満たす１つの信号を選択することである。
【００９０】
考えられる例において、前記プリセットパラメータグループは、対応する物理ランダムアクセスチャネル（ＰＲＡＣＨ）シーケンス及び／又は時間周波数リソースを設定するためのものである。
【００９１】
考えられる例において、前記プリセットパラメータグループは一組の電力制御パラメータを含み、前記電力制御パラメータは、前記端末が所定条件を満たす１つの信号を選択した後に前記ネットワーク装置へのＰＲＡＣＨの伝送を行うためのものである。
【００９２】
考えられる例において、前記プリセットパラメータグループは、制御リソースセット（ＣＯＲＥＳＥＴ）を含む。前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することである。
【００９３】
考えられる例において、前記処理ユニット８０２は更に、前記通信ユニット８０３によりネットワーク装置からの、前記ＢＷＰをアクティブ化する指示を受信するように構成され、前記指示が、前記ネットワーク装置が前記ＢＷＰの前記プリセットパラメータグループを設定した後に送信したものであるか、又は、前記指示が、前記ネットワーク装置が前記ＢＷＰの前記プリセットパラメータグループを設定している過程において送信したものである。
【００９４】
処理ユニット８０２がプロセッサであり、通信ユニット８０２がプロセッサであり、通信ユニット８０３が通信インタフェースであり、記憶ユニット８０１がメモリである場合、本出願の実施例に係る端末は、図６に示した端末であってもよい。
【００９５】
本出願の実施例は、コンピュータ可読記憶媒体を更に提供し、前記コンピュータ可読記憶媒体には、電子データ交換のためのコンピュータプログラムが記憶されており、前記コンピュータプログラムは、コンピュータに、上記方法の実施例における端末の一部又は全部の工程を実行させる。
【００９６】
本出願の実施例は、コンピュータ可読記憶媒体を更に提供し、前記コンピュータ可読記憶媒体には、電子データ交換のためのコンピュータプログラムが記憶されており、前記コンピュータプログラムは、コンピュータに、上記方法の実施例におけるネットワーク装置の一部又は全部の工程を実行させる。
【００９７】
本出願の実施例は、コンピュータプログラム製品を更に提供し、前記コンピュータプログラム製品は、コンピュータプログラムが記憶されている非一時的なコンピュータ可読記憶媒体を含み、前記コンピュータプログラムを実行することで、コンピュータに、上記方法の実施例における端末の一部又は全部の工程を実行させることができる。該コンピュータプログラム製品は、ソフトウェアインストールパッケージであってもよい。
【００９８】
本出願の実施例は、コンピュータプログラム製品を更に提供し、前記コンピュータプログラム製品は、コンピュータプログラムが記憶されている非一時的なコンピュータ可読記憶媒体を含み、前記コンピュータプログラムを実行することで、コンピュータに、上記方法の実施例におけるネットワーク装置の一部又は全部の工程を実行させることができる。該コンピュータプログラム製品は、ソフトウェアインストールパッケージであってもよい。
【００９９】
本出願の実施例で説明されている方法又はアルゴリズムの工程は、ハードウェアの形で実現してもよいし、プロセッサによりソフトウェア命令を実行するという形で実現してもよい。ソフトウェア命令は、対応するソフトウェアモジュールからなるものであってもよい。ソフトウェアモジュールは、ランダムアクセスメモリ（Ｒａｎｄｏｍ  Ａｃｃｅｓｓ  Ｍｅｍｏｒｙ：ＲＡＭ）、フラッシュメモリ、読み出し専用メモリ（Ｒｅａｄ-ｏｎｌｙ Ｍｅｍｏｒｙ：ＲＯＭ）、消去可能プログラマブル読み出し専用メモリ（Ｅｒａｓａｂｌｅ  Ｐｒｏｇｒａｍｍａｂｌｅ  ＲＯＭ：ＥＰＲＯＭ）、電気的消去可能プログラマブル読み出し専用メモリ（Ｅｌｅｃｔｒｉｃａｌｌｙ  ＥＰＲＯＭ：ＥＥＰＲＯＭ）、レジスタ、ハードディスク、ポータブルハードディスク、再生専用型光ディスク（ＣＤ−ＲＯＭ）又は当技術分野において周知のその他のいかなる形式の記憶媒体に記憶されてもよい。例示的な記憶媒体がプロセッサに結合されることで、プロセッサが該記憶媒体から情報を読み取り、且つ該記憶媒体に情報を書き込むことができるようにする。勿論、記憶媒体は、プロセッサの構成部分であってもよい。プロセッサ及び記憶媒体は、ＡＳＩＣに位置してもよい。また、該ＡＳＩＣは、アクセスネットワーク装置、ターゲットネットワーク装置又はコアネットワーク装置に位置してもよい。勿論、プロセッサ及び記憶媒体は、ディスクリートコンポーネントとしてアクセスネットワーク装置、ターゲットネットワーク装置又はコアネットワーク装置に存在してもよい。
【０１００】
当業者であれば、上記１つ又は複数の例において、本出願の実施例で説明されている機能は、全体的または部分的に、ソフトウェア、ハードウェア、ファームウェア又は如何なる組み合わせにより実現することができることを意識し得る。ソフトウェアを用いて実現する場合、全体的または部分的に、コンピュータプログラム製品の形態で実現できる。前記コンピュータプログラム製品は１つ又は複数のコンピュータ命令を含む。上記コンピュータプログラム命令はコンピュータ上にロードされ実行されると、本出願の実施例による手順又は機能が全部又は部分的に生成される。前記コンピュータは、汎用コンピュータ、専用コンピュータ、コンピュータネットワーク、又は他のプログラマブルデバイスであってもよい。前記コンピュータ命令は、コンピュータ可読記憶媒体に記憶されるか、又は１つのコンピュータ可読記憶媒体から別のコンピュータ可読記憶媒体へ伝送されてもよい。例えば、前記コンピュータ命令は、１つのウェブサイト、コンピュータ、サーバ又はデータセンターから有線（例えば、同軸ケーブル、光ファイバー、デジタル加入者回線（Ｄｉｇｉｔａｌ  Ｓｕｂｓｃｒｉｂｅｒ  Ｌｉｎｅ：ＤＳＬ）又は無線（例えば赤外線、無線、マイクロ波等）方式で別のウェブサイト、コンピュータ、サーバ又はデータセンターに伝送される。前記コンピュータ可読記憶媒体はコンピュータに記憶可能な如何なる利用可能な媒体や１つ又は複数の利用可能な媒体を含むサーバ、データセンターを集積したデータ記憶装置であってもよい。前記利用可能な媒体は、磁性媒体（例えば、フレキシブルディスク、ハードディスク、磁気テープ）、光媒体（例えば、デジタル多用途ディスク（Ｄｉｇｉｔａｌ  Ｖｅｒｓａｔｉｌｅ  Ｄｉｓｃ：ＤＶＤ）、又は半導体媒体（例えばソリッドステートハードドライブ（Ｓｏｌｉｄ  Ｓｔａｔｅ  Ｄｉｓｋ：ＳＳＤ）等であってもよい。
【０１０１】
上記具体的な実施形態において、本出願の実施例の目的、技術的解決手段及び有益な効果を更に詳しく説明した。以上は本出願の実施例の具体的な実施形態に過ぎず、本出願の実施例の保護範囲はそれらに制限されるものではなく、本出願の実施例の技術的解決手段に基づいて行われる修正、均等な置換、改良などはいずれも、本出願の実施例の保護範囲内に含まれるべきであることが理解されるべきである。
【図１】
2021516472.tif 000003
【図２】
2021516472.tif 000004
【図３】
2021516472.tif 000005
【図４】
2021516472.tif 000006
【図５】
2021516472.tif 000007
【図６】
2021516472.tif 000008
【図７】
2021516472.tif 000009
【図８】
2021516472.tif 000010
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
リンク再設定処理方法であって、
ネットワーク装置が、端末にプリセットパラメータグループを指示し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものであることを含む、前記方法。
【請求項２】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号の指示情報を含み、前記対応する処理操作は、リンク品質が所定又は設定された閾値より悪いかを検出することであることを特徴とする
請求項１に記載の方法。
【請求項３】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号の指示情報を含み、前記対応する処理操作は、所定条件を満たす１つの信号を選択することであることを特徴とする
請求項１に記載の方法。
【請求項４】
前記プリセットパラメータグループは、対応する物理ランダムアクセスチャネル（ＰＲＡＣＨ）シーケンス及び／又は時間周波数リソースを設定するためのものであることを特徴とする
請求項３に記載の方法。
【請求項５】
前記プリセットパラメータグループは一組の電力制御パラメータを含み、前記電力制御パラメータは、前記ネットワーク装置へのＰＲＡＣＨの伝送を行うためのものであることを特徴とする
請求項１に記載の方法。
【請求項６】
前記プリセットパラメータグループは、制御リソースセット（ＣＯＲＥＳＥＴ）を含み、前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することであることを特徴とする
請求項１−５に記載の方法。
【請求項７】
前記方法は
前記ネットワーク装置が、前記ＢＷＰの前記プリセットパラメータグループを設定し、
前記ネットワーク装置が、前記ＢＷＰのアクティブ化を指示すること、
又は前記ネットワーク装置が、前記ＢＷＰのアクティブ化を指示する時、前記ＢＷＰの前記プリセットパラメータグループを設定することを更に含むことを特徴とする
請求項１−６のうちいずれか一項に記載の方法。
【請求項８】
リンク再設定処理方法であって、
端末が、ネットワーク装置からのプリセットパラメータグループを受信し、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものであることを含む、前記方法。
【請求項９】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号の指示情報を含み、前記対応する処理操作は、リンク品質が所定又は設定された閾値より悪いかを検出することであることを特徴とする
請求項８に記載の方法。
【請求項１０】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号の指示情報を含み、前記対応する処理操作は、所定条件を満たす１つの信号を選択することであることを特徴とする
請求項８に記載の方法。
【請求項１１】
前記プリセットパラメータグループは、対応する物理ランダムアクセスチャネル（ＰＲＡＣＨ）シーケンス及び／又は時間周波数リソースを設定するためのものであることを特徴とする
請求項１０に記載の方法。
【請求項１２】
前記プリセットパラメータグループは一組の電力制御パラメータを含み、前記電力制御パラメータは、前記ネットワーク装置へのＰＲＡＣＨの伝送を行うためのものであることを特徴とする
請求項８に記載の方法。
【請求項１３】
前記プリセットパラメータグループは、制御リソースセット（ＣＯＲＥＳＥＴ）を含み、前記対応する処理操作は、前記ＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することであることを特徴とする
請求項８−１２のうちいずれか一項に記載の方法。
【請求項１４】
前記方法は、
前記端末が、ネットワーク装置からの、前記ＢＷＰをアクティブ化する指示を受信し、前記指示が、前記ネットワーク装置が前記ＢＷＰの前記プリセットパラメータグループを設定した後に送信したものであるか、又は、前記指示が、前記ネットワーク装置が前記ＢＷＰの前記プリセットパラメータグループを設定している過程において送信したものであることを更に含むことを特徴とする
請求項８−１３のうちいずれか一項に記載の方法。
【請求項１５】
ネットワーク装置であって、処理ユニットと通信ユニットとを備え、
前記処理ユニットは、前記通信ユニットにより端末にプリセットパラメータグループを指示するように構成され、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである、前記ネットワーク装置。
【請求項１６】
端末であって、処理ユニットと通信ユニットとを備え、
前記処理ユニットは、前記通信ユニットによりネットワーク装置からのプリセットパラメータグループを受信するように構成され、前記プリセットパラメータグループが、前記端末の帯域幅部分（ＢＷＰ）に対して設定されたものであり、前記プリセットパラメータグループが、前記端末が前記ＢＷＰで伝送を行う時に対応する処理操作を実行するために用いられるものである、前記端末。
【請求項１７】
ネットワーク装置であって、プロセッサと、メモリと、送受信機と、１つ又は複数のプログラムとを備え、前記１つ又は複数のプログラムは、前記メモリに記憶されており、前記プロセッサにより実行されるように構成され、前記プログラムは、請求項１−７のうちいずれか一項に記載の方法におけるステップを実行するための命令を含む、前記ネットワーク装置。
【請求項１８】
端末であって、プロセッサと、メモリと、通信インタフェースと、１つ又は複数のプログラムとを備え、前記１つ又は複数のプログラムは、前記メモリに記憶されており、前記プロセッサにより実行されるように構成され、前記プログラムは、請求項８−１４のうちいずれか一項に記載の方法におけるステップを実行するための命令を含む、前記端末。
【請求項１９】
コンピュータ可読記憶媒体であって、電子データ交換のためのコンピュータプログラムが記憶されており、前記コンピュータプログラムは、コンピュータに、請求項１−７のうちいずれか一項に記載の方法を実行させる、前記コンピュータ可読記憶媒体。
【請求項２０】
コンピュータ可読記憶媒体であって、電子データ交換のためのコンピュータプログラムが記憶されており、前記コンピュータプログラムは、コンピュータに、請求項８−１４のうちいずれか一項に記載の方法を実行させる、前記コンピュータ可読記憶媒体。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
リンク再設定処理方法であって、リンク再設定メカニズムに適用され、
端末が、ネットワーク装置からの少なくとも一つのプリセットパラメータグループを受信し、前記少なくとも一つのプリセットパラメータグループのうちの各プリセットパラメータグループが、前記端末の少なくとも一つの帯域幅部分（ＢＷＰ）に対して設定されたものであり、前記プリセットパラメータグループが、前記端末が前記少なくとも一つのＢＷＰで伝送を行う時に対応する処理操作を実行するために用いられるものであることを含む、前記方法。
【請求項２】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号の指示情報を含み、前記対応する処理操作は、リンク品質が所定又は設定された閾値より悪いかを検出することであることを特徴とする
請求項１に記載の方法。
【請求項３】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号の指示情報を含み、前記対応する処理操作は、所定条件を満たす１つの信号を選択することであることを特徴とする
請求項１に記載の方法。
【請求項４】
前記プリセットパラメータグループは、対応する物理ランダムアクセスチャネル（ＰＲＡＣＨ）シーケンス及び／又は時間周波数リソースを設定するためのものであることを特徴とする
請求項１に記載の方法。
【請求項５】
前記プリセットパラメータグループは一組の電力制御パラメータを含み、前記電力制御パラメータは、前記端末が前記所定条件を満たす前記信号を選択した後に、前記ネットワーク装置へのＰＲＡＣＨの伝送を行うためのものであることを特徴とする
請求項１に記載の方法。
【請求項６】
前記プリセットパラメータグループは、制御リソースセット（ＣＯＲＥＳＥＴ）を含み、前記対応する処理操作は、前記少なくとも一つのＢＷＰで物理ランダムアクセスチャネル（ＰＲＡＣＨ）信号を送信した後、所定のウィンドウ内で、前記ＣＯＲＥＳＥＴにおいて物理下り制御チャネル（ＰＤＣＣＨ）をモニタリング（ｍｏｎｉｔｏｒ）することであることを特徴とする
請求項１−５のうちいずれか一項に記載の方法。
【請求項７】
前記ＢＷＰは、上りＢＷＰ又は下りＢＷＰを含む、
請求項１に記載の方法。
【請求項８】
前記少なくとも一つのプリセットパラメータグループのうちの各プリセットパラメータグループが、前記端末の一つの帯域幅部分（ＢＷＰ）に対して設定されたものである、
請求項１に記載の方法。
【請求項９】
前記電力制御パラメータは、目標の受信電力（Ｐｒｅａｍｂｌｅ  Ｒｅｃｅｉｖｅｄ  Ｔａｒｇｅｔ  Ｐｏｗｅｒ）を含む、
請求項５に記載の方法。
【請求項１０】
端末であって、リンク再設定メカニズムに適用され、処理ユニットと通信ユニットとを備え、
前記処理ユニットは、前記通信ユニットによりネットワーク装置からの少なくとも一つのプリセットパラメータグループを受信するように構成され、前記少なくとも一つのプリセットパラメータグループのうちの各プリセットパラメータグループが、前記端末の少なくとも一つの帯域幅部分（ＢＷＰ）に対して設定されたものであり、前記プリセットパラメータグループが、前記端末が前記少なくとも一つのＢＷＰで伝送を行う時に対応する処理操作を実行するために用いられるものである、前記端末。
【請求項１１】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号の指示情報を含み、前記対応する処理操作は、リンク品質が所定又は設定された閾値より悪いかを検出することであることを特徴とする
請求項１０に記載の端末。
【請求項１２】
前記プリセットパラメータグループは、チャネル状態情報参照信号（ＣＳＩ−ＲＳ）、同期信号／物理ブロードキャストチャネルブロック（ＳＳ／ＰＢＣＨ  ｂｌｏｃｋ）のうちの少なくとも１つの信号の指示情報を含み、前記対応する処理操作は、所定条件を満たす１つの信号を選択することであることを特徴とする
請求項１０に記載の端末。
【請求項１３】
前記プリセットパラメータグループは、対応する物理ランダムアクセスチャネル（ＰＲＡＣＨ）シーケンス、時間周波数リソースのうちの少なくとも１つを設定するためのものであることを特徴とする
請求項１０に記載の端末。
【請求項１４】
端末であって、リンク再設定メカニズムに適用され、プロセッサと、メモリと、通信インタフェースと、１つ又は複数のプログラムとを備え、前記１つ又は複数のプログラムは、前記メモリに記憶されており、前記プロセッサにより実行されるように構成され、前記プログラムは、請求項１−９のうちいずれか一項に記載の方法におけるステップを実行するための命令を含む、前記端末。
【請求項１５】
コンピュータ可読記憶媒体であって、電子データ交換のためのコンピュータプログラムが記憶されており、前記コンピュータプログラムは、コンピュータに、請求項１−９のうちいずれか一項に記載の方法を実行させる、前記コンピュータ可読記憶媒体。
【国際調査報告】
2021516472.tif 000011
2021516472.tif 000012
2021516472.tif 000013
2021516472.tif 000014